(57)【要約】【課題】  棒の先端に針先を設けた手鍵を用いて容易に、かつ迅速に移動することができ、耐久性に富む魚箱を提供すること。【解決手段】  上部に開口部を有する容器本体の上端縁に手鍵の針先を掛止するための掛止部を設けることにした。しかも、この掛止部は、開口部を補強するために容器本体の上端縁に設けた補強体で形成することにした。【選択図】図１
2005104532.tif 000002
【特許請求の範囲】
【請求項１】
上部に開口部を有する容器本体の上端縁に手鍵の針先を掛止するための掛止部を設けたことを特徴とする魚箱。
【請求項２】
前記掛止部は、前記開口部を補強するために容器本体の上端縁に設けた補強体で形成したことを特徴とする請求項１記載の魚箱。
【請求項３】
前記補強体は、前記容器本体の開口部周縁に沿って枠状に設けたことを特徴とする請求項１または請求項２記載の魚箱。
【請求項４】
前記補強体は、持ち運び用の持手を一体に形成したことを特徴とする請求項１から請求項３のいずれか１項に記載の魚箱。
【請求項５】
前記容器本体および前記補強体は、金属で形成されたことを特徴とする請求項１から請求項４のいずれか1項に記載の魚箱。
【発明の詳細な説明】
【技術分野】
【０００１】
本発明は、魚介類等を収容する魚箱に関するものである。
【背景技術】
【０００２】
従来から、漁港等に水揚げされた魚介類を、魚市場でせりにかけるため種類別に選別し氷とともに収容する魚箱として、略有底矩形箱状に形成した発泡スチロールからなる魚箱が広く使用されていた。
【０００３】
魚介類と氷とが収容された魚箱は重量がかさむため、この魚箱を移動させる場合には、棒の先端に針先を設けた手鍵を用い、発泡スチロール製の魚箱の側面に手鍵の針先を突き刺し、手鍵で魚箱を移動させたい方向へ押したり引き寄せたりして床面を引きずりながら移動させていた（たとえば、特許文献１参照。）。
【特許文献１】特開２００３−４０３１４号公報
【発明の開示】
【発明が解決しようとする課題】
【０００４】
ところが、上記従来の魚箱にあっては、手鍵を魚箱に掛止させるにあたって、手鍵の針先を魚箱に掛止させるための掛止部がなかったので、発泡スチロール製の魚箱の側面に手鍵の針先を突き刺すことによって掛止させていた。
【０００５】
その結果、魚箱の側面にその都度針孔が穿孔されることになり、魚箱の損傷が激しく耐久性が悪かった。
【０００６】
そのため、新たな魚箱を頻繁に導入しなければならずコストが高くついていた。
【０００７】
しかも、損傷した魚箱を廃棄処分すると、素材が発泡スチロールであるために、環境問題の一因となっていた。
【課題を解決するための手段】
【０００８】
そこで、請求項１に係る本発明では、上部に開口部を有する容器本体の上端縁に手鍵の針先を掛止するための掛止部を設けることにした。
【０００９】
また、請求項２に係る本発明では、前記掛止部は、前記開口部を補強するために容器本体の上端縁に設けた補強体で形成することにした。
【００１０】
また、請求項３に係る本発明では、前記補強体は、前記容器本体の開口部周縁に沿って枠状に設けることにした。
【００１１】
また、請求項４に係る本発明では、前記補強体は、持ち運び用の持手を一体に形成することにした。
【００１２】
また、請求項５に係る本発明では、前記容器本体および前記補強体は、金属で形成することにした。
【発明の効果】
【００１３】
本発明は、以下に記載するような効果を奏する。
【００１４】
すなわち、請求項１に係る本発明では、上部に開口部を有する容器本体の上端縁に手鍵の針先を掛止するための掛止部を設けることにしたので、この掛止部に手鍵の針先を掛止させることができ、容器本体の損傷を防止することができ、魚箱の耐久性を向上させることができる。
【００１５】
また、請求項２に係る本発明では、前記掛止部は、前記開口部を補強するために容器本体の上端縁に設けた補強体で形成することにしたので、掛止部が受けた力を容器本体の上端縁全体で受けることができ、掛止部の耐久性を高めることができる。
【００１６】
また、請求項３に係る本発明では、前記補強体は、前記容器本体の開口部周縁に沿って枠状に設けることにしたので、容器本体の上部に開口部を有するために生じる構造強度の不足を補うことができ、容器本体に力が作用した場合に、魚箱全体が歪むことを防止することができる。
【００１７】
また、請求項４に係る本発明では、前記補強体は、持ち運び用の持手を一体に形成することにしたので、魚箱を持ち上げる際には、この持手を把持することによって容易に持ち上げることができ作業性を高めることができる。また、持手が受けた力を容器本体の上端縁全体で受けることができ、持手の耐久性を高めることができる。
【００１８】
また、請求項５に係る本発明では、前記容器本体および前記補強体は、金属で形成されることにしたので、手鍵の針先との衝突にも強く、容器本体および補強体の耐久性を高くすることができる。
【発明を実施するための最良の形態】
【００１９】
本発明に係る魚箱は、漁港等に水揚げされた魚介類をせりにかけるために種類別に選別して氷とともに収容する魚箱であって、容器本体の上端縁に手鍵の針先を掛止するための掛止部を設けている。
【００２０】
したがって、魚介類を収容した魚箱を移動させる場合には、この掛止部に手鍵の針先を掛止させることによって、魚箱を移動させたい方向へ手鍵で押したり引いたりして移動させることができる。
【００２１】
このように、掛止部を設けたことによって、手鍵の針先を魚箱に掛止させるにあたり容器本体を損傷させることがないため、魚箱を長期に亘って使用することができ、魚箱に要するトータル的なコストを削減することができる。
【００２２】
また、掛止部に手鍵の針先を掛止させたり、抜いたりする動作を容易に、しかも迅速に行うことができるので、様々な種類の魚介類が収容された魚箱を次から次に入れ替えて短時間で効率良くせりを行うことができる。
【００２３】
以下に、本発明に係る魚箱の具体的な実施形態について、図面を参照しながら説明する。本発明に係る魚箱Ａは、図１に示すように、上部に開口部を有する有底矩形箱状に形成した容器本体１の内部に魚介類等を収容するようにしている。なお、容器本体１の素材は錆に強い金属であればどのような素材であっても構わないが、その中でも特に錆に強いステンレスが好ましい。
【００２４】
しかも、容器本体１の対向する一対の長側壁２および短側壁３は、図４〜図７に示すように、互いに上部ほど外側に広がるテーパー状に形成している。
【００２５】
そして、容器本体１の上端縁を外側に折曲して、上端の外周に断面視略円弧状をなす曲面部４を有する補強体挿通部５を形成しており、この補強体挿通部５内に、容器本体１の外周形状に沿って略矩形に屈曲された１本の枠状の補強体６を挿通している。なお、この補強体６の素材は錆に強い金属であればどのような素材であっても構わないが、その中でも特に錆に強いステンレスが好ましい。
【００２６】
しかも、略矩形に屈曲された補強体６の４つの屈曲部は、露出され直上方向に伸延されて突出しており、この突出部を掛止部７としている。
【００２７】
すなわち、補強体６は、容器本体１の長側壁２の側端から所定長さ手前において補強体挿通部５から露出されるとともに屈曲され、直上方向に所定長さ伸延されて垂直掛止部８を形成し、さらに屈曲され長側壁２の上端縁に沿って水平方向に伸延されて水平掛止部９を形成し、さらに長側壁２と短側壁３とが交わる角部ではゆるやかに屈曲されてコーナー掛止部10を形成して短側壁３に沿い、さらに短側壁３の上端縁に沿って水平方向に所定長さ伸延されて水平掛止部11を形成し、さらに屈曲され直下方向に所定長さ伸延されて垂直掛止部12を形成し、屈曲されて再び補強体挿通部５に挿通されており、これら連続した垂直掛止部８,水平掛止部９,コーナー掛止部10、水平掛止部11、垂直掛止部12で掛止部７を形成している。
【００２８】
そのため、垂直掛止部８と水平掛止部９との下方に２側に面する針先挿入空間が形成されるとともに、水平掛止部11と垂直掛止部12との下方に２側に面する針先挿入空間が形成される。
【００２９】
ここで、掛止部７を設けた容器本体１の上端縁は、それぞれ外方へ折り返して長側壁２および短側壁３に沿わせている。
【００３０】
また、掛止部７と同様に、短側壁３の上端縁の中間部に位置する補強体６も、所定長さ露出され直上方向に伸延されて突出しており、この突出部を持手13としている。
【００３１】
なお、持手13における手との接触部分である把持部14を、波状をなすように曲げ形成すれば、把持部14を握る指と馴染ますことができ使い勝手を良くすることができる。
【００３２】
ここで、持手13を設けた容器本体１の上端縁は、それぞれ外方へ折り返して短側壁３に沿わせている。
【００３３】
さらに、容器本体１の底面15には、図２,図３,図７に示すように、長手方向に沿って断面視半円弧状の凹部16を複数設けている。
【００３４】
本発明に係る魚箱Ａは、以上のような構成としており、この魚箱Ａの使用方法について説明する。
【００３５】
漁港等に水揚げされた魚介類は、種類別に選別され氷とともに魚箱Ａに収容される。このようにして様々な魚介類を収容した魚箱Ａは、魚市場に搬送されてせりにかけられる。
【００３６】
魚市場で魚箱を移動する場合には、魚介類等を収容して重くなった魚箱Ａを容易に、かつ速やかに移動させるために、棒の先端に針先を設けた手鍵が用いられている。
【００３７】
すなわち、手鍵の針先を魚箱に掛止させ、手鍵で移動させたい方向に魚箱を押したり引き寄せたりして床面を引きずりながら移動させるのである。
【００３８】
本発明に係る魚箱Ａは掛止部７を設けているため、手鍵の針先を掛止部７に掛止することができる。
【００３９】
そのため、容器本体１の損傷を防止して魚箱Ａを長期に亘って使用することができ、コストを削減することができる。
【００４０】
しかも、容器本体１および掛止部７を形成している補強体６はステンレス製であるため、掛止部７と掛止部７周辺は手鍵の針先との衝突や掛止に対して長期に亘って耐えることができる。
【００４１】
ここで、掛止部７は垂直掛止部８を有しているので掛止部７を直上方向に突出させた形状とすることができ、掛止部７に手鍵の針先を掛止させたり、抜いたりする動作を容易に、しかも迅速に行うことができる。
【００４２】
特に、掛止部７は長側壁２と短側壁３との両側壁に針先挿入空間をそれぞれ形成しているので、長側壁２側からも短側壁３側からも手鍵の針先を掛止することができる。
【００４３】
しかも、掛止部７は、容器本体１の四隅にそれぞれ設けられているため、魚箱Ａを移動させたい方向に合わせて、適切な掛止部７の適切な針先挿入空間を選択することができる。
【００４４】
さらに、コーナー掛止部10はゆるやかに屈曲されているので、魚箱Ａを移動している途中で、移動方向が変わった場合には、例えば、長側壁２側に掛止して引いていた手鍵の針先を、コーナー掛止部10を滑動させてスムーズに短側壁３側へ移動させることができ、作業性を高めることができる。
【００４５】
そのため、魚箱Ａを移動させる作業を容易に、しかも迅速に行うことができ、魚箱Ａを次から次に入れ替えて短時間で効率良くせりを行うことができる。
【００４６】
このように、魚箱Ａは床面を引きずられながら移動される。ここで、容器本体１の底面15には、断面視半円弧状の凹部16を複数設けているので、床面と底面15との接触面積を小さくして、床面と魚箱Ａの底面15との間に生じる摩擦力を抑えて作業性を高めるようにしている。
【００４７】
また、魚箱Ａを持ち上げて運搬する際には、短側壁３の上端縁の中間部に設けた持手13を用いることができる。そのため、持ち上げ運搬作業を容易に、かつ迅速に行うことができ作業性を高めることができる。
【００４８】
ここで、掛止部７および持手13は、容器本体１の外周に挿通された１本の補強体６で一体に形成されているので、掛止部７および持手13が受けた力を容器本体１の外周縁に挿通された補強体６全体で受けることができ、掛止部７および持手13の耐久性を高めることができる。
【００４９】
また、容器本体１の上端縁の外周に挿通された枠状の補強体６は、容器本体１の上部に開口部を有するために生じる構造強度の不足を補うことができる。特に、この補強体６は、１本の補強体６で構成しているので、補強効果を高めることができる。
【００５０】
そのため、魚箱Ａを持ち上げたりすること等によって魚箱Ａに力が作用した場合に、魚箱Ａ全体が歪むことを防止することができる。
【００５１】
したがって、魚介類等を収容した魚箱Ａを常時安定した状態に保持して作業性を向上することができる。
【００５２】
さらに、魚箱Ａは、図８に示すように、上方位置の容器本体１の底部を下方位置の容器本体１の上部開口内に挿入することによって、容器本体１同士を積み重ねることができる。
【００５３】
ここで、上方位置の容器本体１の底部を下方位置の容器本体１の上部開口内に挿入する際には、容器本体１の掛止部７がガイドとして機能することができる。
【００５４】
すなわち、下方位置の容器本体１に他の容器本体１が上方から挿入されると、下方位置の容器本体１の上端縁における四隅に設けた掛止部７の水平掛止部９,11およびコーナー掛止部10が、上方から挿入される容器本体１の底面15の四隅をとらえて、下方位置の容器本体１における上部開口の中央部にスムーズに誘導し、さらに、垂直掛止部８,12に沿って下方へと誘導することができ、魚箱Ａの積み重ね作業を効率よく行うことができる。
【００５５】
このように、魚箱Ａは積み重ねることができるので、魚箱Ａを使用しない場合には、複数の魚箱Ａを積み重ねることによって少ないスペースに多くの魚箱Ａを収納することができる。
【図面の簡単な説明】
【００５６】
【図１】本発明に係る魚箱の全体説明図である。
【図２】本発明に係る魚箱の平面図である。
【図３】本発明に係る魚箱の底面図である。
【図４】本発明に係る魚箱の正面図である、
【図５】図２のＡ−Ａ線における断面図である。
【図６】本発明に係る魚箱の側面図である。
【図７】図２のＢ−Ｂ線における断面図である。
【図８】空の状態の魚箱を積み重ねた状態を示す説明図である。
【符号の説明】
【００５７】
Ａ  魚箱
１  容器本体
２  長側壁
３  短側壁
４  曲面部
５  補強体挿通部
６  補強体
７  掛止部
８  垂直掛止部
９  水平掛止部
１０  コーナー掛止部
１１  水平掛止部
１２  垂直掛止部
１３  持手
１４  把持部
１５  底面
１６  凹部
【図１】
2005104532.tif 000003
【図２】
2005104532.tif 000004
【図３】
2005104532.tif 000005
【図４】
2005104532.tif 000006
【図５】
2005104532.tif 000007
【図６】
2005104532.tif 000008
【図７】
2005104532.tif 000009
【図８】
2005104532.tif 000010